(57)【要約】【課題】見栄えが良好な表示装置を提供する。【解決手段】表示装置は、光源光を発する光源部と、透光性の板状に形成され、光源部からの光源光を、板内部３２に導入する導光板であって、導入された光源光を受光して発光表示する発光表示部を有する導光板３０と、発光表示部と並ぶように、発光表示部とは導光板３０の延伸方向にずれた位置に配置され、発光表示部とは別の表示内容を表示する並存表示部と、発光表示部から並存表示部側へ向かう光源光を視認側へ偏向して発光して、発光表示部及び並存表示部のうち少なくともいずれかを加飾する発光加飾部４２ａと、を備える。【選択図】図５
2020008377.tif 000002
【特許請求の範囲】
【請求項１】
光源光を発する光源部（５０ａ，５０ｂ）と、
透光性の板状に形成され、前記光源部からの前記光源光を、板内部（３２）に導入する導光板であって、導入された前記光源光を受光して発光表示する発光表示部（３４ａ，３４ｂ）を有する導光板（３０）と、
前記発光表示部と並ぶように、前記発光表示部とは前記導光板の延伸方向にずれた位置に配置され、前記発光表示部とは別の表示内容を表示する並存表示部（２７）と、
前記発光表示部から前記並存表示部側へ向かう前記光源光を視認側へ偏向して発光して、前記発光表示部及び前記並存表示部のうち少なくともいずれかを加飾する発光加飾部（４２ａ，４２ｂ）と、を備える表示装置。
【請求項２】
前記発光加飾部は、前記導光板に埋設された状態で前記導光板と一体的に形成されている請求項１に記載の表示装置。
【請求項３】
前記導光板は、前記並存表示部よりも視認側において、前記並存表示部と重畳する重畳部（４０）を有し、
前記発光加飾部は、前記発光表示部と前記重畳部との間を仕切るように配置されている請求項２に記載の表示装置。
【請求項４】
前記発光加飾部は、前記導光板において視認側とは反対側の背面側を向くうら板面（３１ｂ）と接続され、前記発光表示部側から前記並存表示部側へ向かうに従って視認側へ向かうように傾斜して形成され、前記板内部を前記発光表示部側から前記並存表示部側へ向かう前記光源光を視認側へ反射する反射面（４３）を有する請求項２又は３に記載の表示装置。
【請求項５】
前記発光加飾部は、
前記光源光を前記導光板から視認側へ射出する光射出部（４４）と、
前記光射出部の前記並存表示部側に隣接して、前記光源光の透過を規制する光規制壁部（４５）と、を有する請求項２から４のいずれか１項に記載の表示装置。
【請求項６】
前記光射出部は、前記導光板において視認側を向くおもて板面（３１ａ）よりも、視認側に突出するように配置されている請求項５に記載の表示装置。
【請求項７】
前記光射出部は、平面状の射出面（４４ａ）を有する請求項５又は６に記載の表示装置。
【請求項８】
前記光射出部は、視認側に凸となる曲面状の射出面（９４４ａ）を有する請求項５又は６に記載の表示装置。
【請求項９】
前記発光表示部は、円環状の目盛（３５ａ）を表示し、
前記発光加飾部は、前記目盛に沿うように湾曲した湾曲縁部（４６ｃ）を有する請求項１から８のいずれか１項に記載の表示装置。
【請求項１０】
前記発光表示部は、前記板内部に導入された前記光源光を反射する反射素子（９３５）を複数有し、前記反射素子の集合により形成された図柄（ＰＴＮ）を面状発光する請求項１から９のいずれか１項に記載の表示装置。
【請求項１１】
前記発光表示部は、輪郭が情報を表示するように形成された側壁面（３６）が設けられ、前記板内部に導入された前記光源光により前記側壁面が照明されて光る凹状穴（３５）を有する請求項１から１０のいずれか１項に記載の表示装置。
【請求項１２】
前記発光表示部は、前記並存表示部を挟むような配置で一対設けられ、
前記光源部は、前記並存表示部とは各前記発光表示部を挟んで反対側に、一対設けられ、それぞれ前記並存表示部側へ向けて前記光源光を発し、
前記発光加飾部は、各前記発光表示部及び各前記光源部に対応して一対設けられている請求項１から１１のいずれか１項に記載の表示装置。
【請求項１３】
前記発光表示部よりも背面側に、前記発光表示部と重畳して配置され、前記発光表示部と組み合わされた表示を行なう組み合わせ表示部（２３ａ，２３ｂ）を、さらに備える請求項１から１２のいずれか１項に記載の表示装置。
【請求項１４】
前記並存表示部は、画像を表示する画像表示部を含んで構成されている請求項１から１３のいずれか１項に記載の表示装置。
【発明の詳細な説明】
【技術分野】
【０００１】
この明細書による開示は、表示装置に関する。
【背景技術】
【０００２】
従来、表示装置が知られている。特許文献１に開示の表示装置は、光源光を発する光源部と、透光性の板状に形成され、光源部からの光源光を、板内部に導入する導光板であって、導入された光源光を受光して発光表示する発光表示部（図柄）を有する導光板と、発光表示部よりも背面側に、発光表示部と重畳するように配置され、所定の表示内容を表示する背面側の表示部（重畳表示装置）と、を備えている。
【先行技術文献】
【特許文献】
【０００３】
【特許文献１】特開２０１６−１２１８９１号公報
【発明の概要】
【発明が解決しようとする課題】
【０００４】
さて、板内部に光源部から光源光を導入する態様においては、板内部を光源光が導光する間に、光源光の拡散が生じることがある。特許文献１のように、背面側の表示部を、発光表示部と重畳するように配置する場合、発光表示部まで導光された光源光が拡散して、この拡散光により当該背面側の表示部が照らされる。そうすると、背面側の表示部は、この拡散光の影響を受け、背面側の表示部の視認性が悪化してしまい、表示装置全体としても見栄えが不十分となることが懸念されている。
【０００５】
開示されるひとつの目的は、見栄えが良好な表示装置を提供することにある。
【課題を解決するための手段】
【０００６】
ここに開示された態様は、光源光を発する光源部（５０ａ，５０ｂ）と、
透光性の板状に形成され、光源部からの光源光を、板内部（３２）に導入する導光板であって、導入された光源光を受光して発光表示する発光表示部（３４ａ，３４ｂ）を有する導光板（３０）と、
発光表示部と並ぶように、発光表示部とは導光板の延伸方向にずれた位置に配置され、発光表示部とは別の表示内容を表示する並存表示部（２７）と、
発光表示部から並存表示部側へ向かう光源光を視認側へ偏向して発光して、発光表示部及び並存表示部のうち少なくともいずれかを加飾する発光加飾部（４２ａ，４２ｂ）と、を備える。
【０００７】
このような態様によると、並存表示部を、発光表示部と並ぶように、発光表示部とは導光板の延伸方向にずれた位置に配置した。発光表示部に対して重畳を避けた並存表示部が設けられた配置によって、並存表示部の表示自体が阻害されることを抑制しつつ、板内部で発生する拡散光によって並存表示部が照らされることを抑制することを可能とした。詳細に、並存表示部が照らされることの抑制は、発光加飾部の設置によって実現される。発光加飾部が、発光表示部から並存表示部側へ向かう光源光を視認側へ偏向して発光して、発光表示部及び並存表示部のうち少なくともいずれかを加飾する。これにより、光源光の視認側への偏向によって、相対的に並存表示部側への光源光の到達量が減少するので、並存表示部が拡散光の影響を受け難くなり、視認性の高い表示が実現される。同時に、この偏向された光源光が加飾に利用されるので、表示装置の見栄えを格段に良好なものとすることができる。
【０００８】
なお、括弧内の符号は、後述する実施形態の部分との対応関係を例示的に示すものであって、技術的範囲を限定することを意図するものではない。
【図面の簡単な説明】
【０００９】
【図１】第１実施形態の表示装置を示す正面図である。
【図２】図１のII−II線断面図である。
【図３】第１実施形態の発光表示部を一部拡大して示す図であって、（ａ）正面図、（ｂ）断面図となっている。
【図４】第１実施形態における光源光の進路を矢印にて説明する図である。
【図５】図２のV部を拡大した拡大断面図である。
【図６】変形例１における図５に対応する図である。
【図７】変形例９における発光表示部を説明するための拡大断面図である。
【発明を実施するための形態】
【００１０】
一実施形態を図面に基づいて説明する。
【００１１】
（第１実施形態）
図１に示すように、本開示の第１実施形態による表示装置１００は、車両に用いられる車両用表示装置であって、当該装置１００を視認する視認者としての乗員が着座する座席とは対向するインストルメントパネルに設置されている。表示装置１００は、乗員が位置することとなる視認側へ向けて車両の情報を表示可能となっている。
【００１２】
なお、本実施形態において、上下、前後、左右が示す方向は、水平面上の車両を基準として記載される。
【００１３】
このような表示装置１００は、図２にも示すように、ケース部１０、本体部２０、導光板３０、及び導光板用光源部５０ａ，５０ｂ等により構成されている。
【００１４】
ケース部１０は、背面側ケース１１、視認側ケース１２、見返し部材１３、及びフロント板１４を有している。背面側ケース１１は、例えば合成樹脂により遮光性に形成されており、メイン回路基板２１を視認側とは反対側の背面側から覆っている。
【００１５】
背面側ケース１１よりも視認側に配置された視認側ケース１２は、例えば合成樹脂により遮光性に形成されており、本体部２０を装置１００の外周側から包囲する変形筒状の外枠部１２ａを形成していると共に、ケース内部空間を仕切る仕切り部１２ｂを形成している。なお、ここでいう装置１００の外周側とは、視認側から表示装置１００を見た場合の装置中心部から放射状に装置側方部の各位置へ向かう方向及びその逆の方向を、径方向と定義した場合に、径方向外側を示す。また、装置１００の内周側とは、径方向内側を示す。
【００１６】
見返し部材１３は、例えば合成樹脂により遮光性に形成されており、視認側ケース１２よりも視認側に配置されている。見返し部材１３は、視認側及び背面側に開口部を有し、装置の外周に沿った変形筒状に形成されている。
【００１７】
フロント板１４は、例えば着色されたアクリル樹脂又はポリカーボネイト樹脂等の半透光性樹脂により、見返し部材１３の視認側開口部の全面を塞ぐ曲面板状に形成されている。これにより、本体部２０の露出部分及び導光板３０は、フロント板１４を通して乗員に視認されることとなる。本実施形態のフロント板１４は、スモーク調の着色により、光の透過率が３０％程度に設定されているが、３０％以上の任意の値に設定されていてもよい。
【００１８】
本体部２０は、上述のメイン回路基板２１の他、背景表示板２２、指針部２３ａ，２３ｂ、及び画像表示部２７を有している。背景表示板２２は、一般的に文字板とも呼ばれており、視認側ケース１２において視認側に開口する開口部を塞ぐように配置されている。背景表示板２２は、例えば透光性を有する合成樹脂からなる基材の表面に、半透光性ないしは遮光性の印刷が部分的又は全体的に施されて、平板状に形成されている。なお、印刷に代えて、塗装が施されていてもよい。
【００１９】
背景表示板２２における遮光性の印刷等による遮光領域は、後述する導光板３０の発光表示部３４ａ，３４ｂによる表示が引き立つように、当該発光表示部３４ａ，３４ｂと対向し、かつ重畳する箇所において、暗色、特に黒色に設定されている。また、背景表示板２２よりも背面側に配置された発光素子（図示しない）が背景表示板２２の透光領域又は半透光領域を照明することで、背景表示板２２では、インジケータランプ２２ａを点灯することが可能となっている。
【００２０】
指針部２３ａ，２３ｂは、背景表示板２２における右側の領域及び左側の領域にそれぞれ配置されることで、複数（例えば２つ）設けられている。ここで、２つの指針部２３ａ，２３ｂは、互いに同様の構成となっているため、左側の指針部２３ａについて代表して説明する。
【００２１】
指針部２３ａは、ステッピングモータ２４及び指針２５を有している。ステッピングモータ２４は、背面側ケース１１と視認側ケース１２との間に挟まれたメイン回路基板２１に保持されている。
【００２２】
指針２５は、連結部２５ａ及び指示部２５ｂを一体的に有する機械部品となっている。連結部２５ａは、背景表示板２２に開けられた貫通穴を通して配置されており、ステッピングモータ２４の回転軸と連結されている。指示部２５ｂは、背景表示板２２と導光板３０との間に、すなわち背景表示板２２よりも視認側かつ導光板３０よりも背面側に配置されており、針状を呈している。指針２５は、ステッピングモータ２４の出力に応じて回転軸を回転中心として回動するようになっており、後述する導光板３０の発光表示部３４ａ，３４ｂによって表示された指標を指示することで、車両の情報が表示されるようになっている。
【００２３】
こうして各指針部２３ａ，２３ｂは、個別に対応する発光表示部３４ａ，３４ｂと重畳して配置され、発光表示部３４ａ，３４ｂと組み合わされた表示を行なう組み合わせ表示部として、機能する。
【００２４】
また、指針２５は、背景表示板２２よりも視認側に配置された発光素子２６から照明されることで発光するようになっている。
【００２５】
画像表示部２７は、メイン回路基板２１よりも視認側において、２つの指針部２３ａ，２３ｂに左右に挟まれるように配置されている。本実施形態の画像表示部２７には、薄膜トランジスタ（Thin Film Transistor、ＴＦＴ）を用いたいわゆるＴＦＴ方式の液晶表示器が採用されている。画像表示部２７は、導光板３０を透過するような光を表示画面２７ａから発光することにより、視認側へ実像の画像を表示可能となっている。
【００２６】
より詳細に、背景表示板２２において画像表示部２７の表示画面２７ａと対向する領域は、透光領域又は半透光領域、若しくは物理的に開口する開口部に設定されていることにより、表示画面２７ａに表示される画像を、フロント板１４及び導光板３０を通して乗員から視認可能としている。
【００２７】
画像表示部２７は、画像により指定の表示内容を表示する。所定の表示内容としては、例えば燃料残量、エンジン冷却水の水温、走行距離、ギヤのシフトレンジ等の車両の状態、又は道路情報、障害物等の警告表示、視界補助情報、電子メール等の情報が挙げられる。なお、画像表示部２７としては、液晶表示器以外の有機ＥＬ表示器等を採用することもできる。
【００２８】
導光板３０は、例えばアクリル樹脂ないしはポリカーボネイト樹脂等の透光性を有する合成樹脂により、上下左右に延伸する板面３１ａ，３１ｂを視認側及び背面側に一対有する平板状に形成されている。導光板３０は、本体部２０よりも視認側に配置され、背景表示板２２とは実質平行に設けられている。両側の板面３１ａ，３１ｂのうちおもて板面３１ａは、視認側を向く平面状に形成されている。うら板面３１ｂは、背面側を向くことで、背景表示板２２と対向する平面状に形成されている。導光板３０は、左右方向を長手方向とする略矩形状の外周輪郭により、外縁部３３を形成している。
【００２９】
導光板用光源部（以下、単に光源部と記載する）５０ａ，５０ｂは、外縁部３３に対向するように配置されている。特に本実施形態の光源部５０ａ，５０ｂは、外縁部３３のうち左側の１辺を構成する平面状の端面３３ａ及び右側の１辺を構成する平面状の端面３３ｂに個別に対応して、複数箇所（例えば２箇所）に設けられている。ここで、２つの光源部５０ａ，５０ｂは、左右が反対となっていることを除けば、互いに同様の構成となっているので、左側の光源部５０ａについて代表して説明する。
【００３０】
光源部５０ａは、外縁部３３の延伸方向に沿って、当該外縁部３３とは所定の間隔を空けて配置された光源用回路基板５１上に、互いに所定のピッチで並べられた複数（例えば５個）の発光素子５２を有している。各発光素子５２には、点光源状の発光ダイオードが採用されており、各発光素子５２は、電源と接続されることで光源光を発する。特に本実施形態では、各発光素子５２がマルチカラーの発光ダイオードとなっているが、同じ光源部５０ａに属する発光素子５２は、互いに実質同一の色及び実質同一の輝度で発光するようになっている。
【００３１】
光源部５０ａは、視認側ケース１２と見返し部材１３との間に形成され、閉じられた収容空間１６に収容されている。これにより、光源光の装置外部への漏光が抑制されている。また、光源部５０ａと導光板３０の外縁部３３との間には、筒状の包囲部材５３が遮光性を有して設けられており（図３も参照）、当該包囲部材５３が光源部５０ａから発せられた光源光が導光板３０の板内部３２以外へ漏光することを抑制している。
【００３２】
このようにして、各発光素子５２からの光源光は、当該各発光素子５２から外縁部３３へ向かう左右方向に沿った入射方向ＩＤにより、各発光素子５２と対向する外縁部３３へと入射する。すなわち、外縁部３３は、光源部５０ａから発せられた光源光を導光板３０の板内部３２へと入射させる入射部として機能する。
【００３３】
導光板３０は、板内部３２に導入された光源光を利用して表示を行なう。図３に示すように、本実施形態の導光板３０には、うら板面３１ｂからおもて板面３１ａ側へ向かって導光板３０の板厚方向ＴＤに凹むように形成された凹状穴３５が複数設けられて、それぞれの発光表示部３４ａ，３４ｂが構成されている。特に本実施形態では、左右の一対の指針部２３ａ，２３ｂに重畳するように、導光板３０の右側の領域及び左側の領域にそれぞれ、発光表示部３４ａ，３４ｂが形成されている。すなわち、左側の光源部５０ａは、左側の発光表示部３４ａに対応し、右側の光源部５０ｂは、右側の発光表示部３４ｂに対応している。
【００３４】
各発光表示部３４ａ，３４ｂにおいて、複数の凹状穴３５は、図３に示すように、指針部２３ａ，２３ｂとの組み合わせ表示の態様に合わせて適宜配置されている。各凹状穴３５の凹み深さは（板厚方向ＴＤに沿った寸法）は、例えば導光板３０の板厚の１／３〜１／２程度に設定されている。なお、本実施形態では、板厚が例えば３ｍｍ程度に設定されている。各凹状穴３５は、乗員が１つ１つの形状を巨視的に確認可能なサイズに形成されている。
【００３５】
各凹状穴３５は、その輪郭が情報を表示するように形成された側壁面３６、及び側壁面３６に外周を囲まれるように当該側壁面３６と接続された底面３７を有している。
【００３６】
側壁面３６は、外縁部３３を介して板内部３２に導入された光源光を受光することにより、当該側壁面３６が照明されて、光って表示されるようになっている。底面３７は、凹状穴３５が属する発光表示部３４ａに対応する光源部５０ａ側を向くように、当該光源部５０ａから離間する程うら板面３１ｂとも離間する傾斜面状に形成されている。また、拡大図示しないが、底面３７は、凹状穴３５が属する発光表示部３４ｂに対応する光源部５０ｂ側を向くように、当該光源部５０ｂから離間する程うら板面３１ｂとも離間する傾斜面状に形成されている。これにより、底面３７も、光源光を受光することにより、当該底面３７が照明されて、光って表示されるようになっている。
【００３７】
なお、本実施形態では、側壁面３６が鏡面状に形成される一方、底面３７は例えばシボ加工等により粗面状に形成され、受光した光源光を視認側へ拡散するようになっている。
【００３８】
図１に示すように、本実施形態の各発光表示部３４ａ，３４ｂには、凹状穴３５として側壁面３６による輪郭が目盛の形態をなす目盛凹状穴３５ａ、及び側壁面３６による輪郭が文字の形態をなす文字凹状穴３５ｂがそれぞれ複数ずつ設けられている。こうした目盛凹状穴３５ａ及び文字凹状穴３５ｂを主体として指針２５によって指示される指標が構成されている。
【００３９】
複数の目盛凹状穴３５ａは、指針２５が回動する回転中心に対して同心円状に、かつ、部分円環状に配列されている。各目盛凹状穴３５ａは、回転中心に対する放射方向に伸びる略矩形状の輪郭をなしている。複数の目盛凹状穴３５ａは、さらに主目盛凹状穴と主目盛凹状穴よりも小さなサイズの副目盛凹状穴に分かれている。
【００４０】
複数の文字凹状穴３５ｂは、回転中心を基準として主目盛凹状穴よりも内周側に配置され、文字として、主目盛凹状穴に対応する数字を、輪郭により形成している。こうした各凹状穴３５によって、左側の発光表示部３４ａでは、指針部２３ａと連携して車両のエンジン回転数を表示することが可能となっており、右側の発光表示部３４ｂでは、指針部２３ｂと連携して車両の速度を表示することが可能となっている。こうして各発光表示部３４ａ，３４ｂは、情報としての車両の状態を発光表示する。
【００４１】
そして、一対の発光表示部３４ａ，３４ｂに挟まれた導光板３０の中央の領域には、画像表示部２７と重畳する重畳部４０が設けられている。重畳部４０は、画像表示部２７よりも視認側に配置され、透光性を有する導光板３０の基材が単純な平板状に形成されている部位であって、表示部等が設けられていない。これにより、画像表示部２７の表示画面２７ａの表示が導光板３０に阻害されることが抑制されていると共に、導光板３０が装置１００の内部全域に亘って一枚板として配置されることで、当該装置１００の一体感が醸成されている。
【００４２】
このように、画像表示部２７は、各発光表示部３４ａ，３４ｂと左右に並ぶように、当該各発光表示部３４ａ，３４ｂとは導光板３０の延伸方向にずれた位置に配置されている。すなわち、画像表示部２７は、各発光表示部３４ａ，３４ｂとは重畳せずに、並ぶように配置された並存表示部として機能している。
【００４３】
導光板３０には、図１，２に示すように、発光表示部３４ａ，３４ｂに対する左右に一対形成された発光表示部３４ａと光源部５０ａとの組及び発光表示部３４ｂと光源部５０ｂとの組に個別に対応して、一対の発光加飾部４２ａ，４２ｂが設けられている。本実施形態において、発光加飾部４２ａは、発光表示部３４ａと重畳部４０との間を仕切るように形成されている。図１，４，５に示すように、発光加飾部４２ａは、発光表示部３４ａから板内部３２を画像表示部２７側へ向かう光源光を視認側へ偏向して発光し、発光表示部３４ａ及び画像表示部２７のうち少なくともいずれか（本実施形態では両方）を加飾するように構成されている。
【００４４】
同様に、発光加飾部４２ｂは、発光表示部３４ｂと重畳部４０との間に設けられている。発光加飾部４２ｂは、発光表示部３４ｂから画像表示部２７側へ向かう光源光を視認側へ偏向して発光し、発光表示部３４ａ及び画像表示部２７のうち少なくともいずれか（本実施形態では両方）を加飾するように構成されている。
【００４５】
各発光加飾部４２ａ，４２ｂは、例えば二色成形によって製造されることで、導光板３０に部分的に埋設された状態で当該導光板３０と一体的に形成されている。
【００４６】
ここで、２つの発光加飾部４２ａ，４２ｂは、左右が反対となっていることを除けば、互いに同様の構成となっているので、図５を用いて、左側の発光加飾部４２ａ，４２ｂについて代表して説明する。発光加飾部４２ａは、反射面４３、光射出部４４、第１光規制壁部４５、及び第２光規制壁部４６を有している。
【００４７】
反射面４３は、うら板面３１ｂと接続されて、当該うら板面３１ｂと連続的に形成されている。発光加飾部４２ａの反射面４３は、発光表示部３４ａ側から発光表示部３４ａとは反対側の画像表示部２７側（重畳部４０側でもある）へ向かうに従って視認側へ向かうように、両板面３１ａ，３１ｂに対して傾斜する傾斜面状に形成され、本実施形態では特に平面状を呈している。反射面４３は、傾斜角度に基づいて、板内部３２を発光表示部３４ａ側から画像表示部２７側へ向かう光源光を、視認側へ効率的に反射するために、鏡面状に形成されている。
【００４８】
光射出部４４は、反射面４３に対する視認側に設けられ、例えば導光板３０の板内部３２を構成する基材と同じ透光性の材料によって、導光板３０の板内部３２と連続的に形成されている。光射出部４４は、反射面４３が反射した光源光を導光板３０の板内部３２から視認側となる外部へと射出する。本実施形態の光射出部４４は、おもて板面３１ａよりも視認側に突出するように形成されている。本実施形態の光射出部４４は、光源光を射出する射出面４４ａを、うら板面３１ｂ及びおもて板面３１ａとは実質平行な平面状に形成している。
【００４９】
第１光規制壁部４５及び第２光規制壁部４６は、光射出部４４に隣接するように配置されている。詳細に、第１光規制壁部４５は、光射出部４４の画像表示部２７側（重畳部４０側でもある）に隣接している。第２光規制壁部４６は、光射出部４４の発光表示部３４ａ側に隣接している。両光規制壁部４５，４６は、光源光の透過を規制する。特に本実施形態の両光規制壁部４５，４６は、例えば合成樹脂によって光吸収性を有する暗色（例えば不透光性の黒色）に形成されることで、光源光を遮光する遮光性を備えた遮光壁となっている。
【００５０】
第１光規制壁部４５は、壁貫通部４５ａ及び壁突出部４５ｂを一体的に有している。壁貫通部４５ａは、うら板面３１ｂとおもて板面３１ａとの間を貫通して設けられ、反射面４３とは、うら板面３１ｂから凹んで形成された凹部４３ａを介して離間していると共に、重畳部４０とは接続されている。導光板３０にて第１光規制壁部４５が設けられた部位では、導光板３０の板厚方向ＴＤに亘って光源光の経路が全面的に塞がれている。
【００５１】
壁突出部４５ｂは、壁貫通部４５ａと連続して設けられており、光射出部４４に沿っておもて板面３１ａよりも視認側に突出している。壁突出部４５ｂは、片側の壁面を光射出部４４と接続されていると共に、反対側の壁面を導光板３０の外部に露出させている。
【００５２】
こうした第１光規制壁部４５は、発光表示部３４ａを通過して板内部３２を画像表示部２７側へ向かおうとする光源光の重畳部４０側への透過を、規制している。
【００５３】
第２光規制壁部４６は、壁突出部４６ａを有している。壁突出部４６ａは、おもて板面３１ａから光射出部４４に沿って視認側に突出している。壁突出部４６ａは、片側の壁面を光射出部４４と接続されていると共に、反対側の壁面を導光板３０の外部に露出させている。
【００５４】
第１光規制壁部４５の壁突出部４５ｂと第２光規制壁部４６の壁突出部４６ａとにより両側を挟まれることにより、光射出部４４は、側方に光源光が漏光することを抑制しつつ、射出面４４ａから効率的に光を射出させて、発光することが可能となっている。両壁突出部４５ｂ，４６ａの先端は、射出面４４ａと段差を生じさせないように、同じ高さに合わせられていることで、射出面４４ａ及び両壁突出部４５ｂ，４６ａの先端により、平坦面４２ｃが形成されている。
【００５５】
発光加飾部４２ａは、図１に示すように、導光板３０に沿って、上下方向に延伸している。発光加飾部４２ａは、両側の延伸端部４７が画像表示部２７の表示画面２７ａの上端及び下端をそれぞれ超えるように、延伸している。両側の延伸端部４７は、導光板３０の外縁部３３のうち上側の１辺を構成する端面３３ｃ及び下側の１辺を構成する端面３３ｄの近くまで達しているものの、これら端面３３ｃ，３３ｂまでの到達を避けるように途切れている。また、両延伸端部４７では、第１光規制壁部４５と第２光規制壁部４６とを接続する接続壁部４８が設けられることで、射出面４４ａが全周を遮光性の壁体に縁取られている。
【００５６】
本実施形態では、発光加飾部４２ａにおいて、第２光規制壁部４６によって形成される発光表示部３４ａ側の縁部４６ｃは、目盛凹状穴３５ａの配列に沿うように湾曲した湾曲縁部となっている。この湾曲縁部４６ｃの曲率半径は、目盛凹状穴３５ａの配列における最外周部の曲率半径よりも大きく設定されている。こうした曲率半径の差異により、発光加飾部４２ａは、その中心部にて目盛凹状穴３５ａの配列に対して最も近接し、上方又は下方へ向かう程、目盛凹状穴３５ａの配列に対して離間している。
【００５７】
また、発光加飾部４２ａにおいて、第２光規制壁部４６によって形成される発光表示部３４ａ側の縁部４５ｃは、画像表示部２７における矩形状の表示画面２７ａの外縁に沿うように、直線状に延伸している。
【００５８】
この結果、発光加飾部４２ａは、中心部にて最も幅が小さく、上方又は下方へ向かう程、拡幅するように、幅を変調させており、発光表示部３４ａ及び画像表示部２７に対して一体感及び加飾性を高めるものとなっている。
【００５９】
さて、光源部５０ａ，５０ｂの各発光素子５２からの光源光は、発光ダイオードの構成に起因した所定の指向性を有しているので、各発光素子５２からの距離が短い範囲では、導光板３０の基材を構成する粒子による光源光の拡散（散乱）の影響は小さいが、距離を経るに従って、拡散の影響が徐々に大きくなるため、仮に導光板３０に発光加飾部４２ａ，４２ｂが設けられていないとすれば、光源光のうち相当の光量が重畳部４０に到達するため、重畳部４０の全体に白っぽく靄がかかったように視認され得る。この現象を本実施形態では白化現象と称する。
【００６０】
本装置１００において、各発光素子５２からの距離が重畳部４０よりも近い各発光表示部３４ａ，３４ｂでは、導光板３０が比較的透き通って見えるため、コントラストの高い発光表示が実現されている。一方、各発光素子５２からの距離が各発光表示部３４ａ，３４ｂよりも遠い重畳部４０でも、発光加飾部４２ａ，４２ｂによって光源光が視認側へ偏向される結果、光源光の到達量そのものが規制されているので、光源光の拡散の影響は少なく、導光板３０が透き通って見えるため、また、拡散光が画像表示部２７の表示画面２７ａを照らすことが抑制されているため、画像表示部２７による表示内容の視認性が良好である。
【００６１】
また、導光板３０の重畳部４０では、板内部３２に光源光が殆ど導入されていないので、重畳部４０におけるおもて板面３１ａないしはうら板面３１ｂに、埃等の異物が付着しても、当該異物が光源光によって照らされることが抑制されている。したがって、画像表示部２７の表示内容の視認性を良好に保つことができる。
【００６２】
（作用効果）
以上説明した第１実施形態の作用効果を以下に改めて説明する。
【００６３】
第１実施形態によると、並存表示部としての画像表示部２７を、発光表示部３４ａ，３４ｂと並ぶように、発光表示部３４ａ，３４ｂとは導光板３０の延伸方向にずれた位置に配置した。発光表示部３４ａ，３４ｂに対して重畳を避けた画像表示部２７が設けられた配置によって、画像表示部２７の表示自体が阻害されることを抑制しつつ、板内部３２で発生する拡散光によって画像表示部２７が照らされることを抑制することを可能とした。詳細に、画像表示部２７が照らされることの抑制は、発光加飾部４２ａ，４２ｂの設置によって実現される。発光加飾部４２ａ，４２ｂが、発光表示部３４ａ，３４ｂから画像表示部２７側へ向かう光源光を視認側へ偏向して発光して、発光表示部３４ａ，３４ｂ及び画像表示部２７のうち少なくともいずれかを加飾する。これにより、光源光の視認側への偏向によって、相対的に画像表示部２７側への光源光の到達量が減少するので、画像表示部２７が白化現象の影響を受け難くなり、視認性の高い表示が実現される。同時に、この偏向された光源光が加飾に利用されるので、表示装置１００の見栄えを格段に良好なものとすることができる。
【００６４】
また、第１実施形態によると、発光加飾部４２ａ，４２ｂは、導光板３０に埋設された状態で導光板３０と一体的に形成されている。このようにすると、発光加飾部４２ａ，４２ｂが導光板３０に埋設されているため、板内部３２を進む光源光を効率よく規制することができる。
【００６５】
また、第１実施形態によると、発光加飾部４２ａ，４２ｂは、発光表示部３４ａ，３４ｂと重畳部４０との間を仕切るように配置されている。発光表示部３４ａ，３４ｂと重畳部４０とを１つの導光板３０に形成することにより、重畳部４０に重畳する画像表示部２７の発光表示部３４ａ，３４ｂに対する一体感が醸成されつつも、発光表示部３４ａ，３４ｂと重畳部４０との間が仕切られて発光表示部３４ａ，３４ｂと画像表示部２７との区別が付き易くなる。故に、見栄え効果を高めつつ、表示を視認し易くすることができる。
【００６６】
また、第１実施形態によると、導光板３０において視認側とは反対側の背面側を向くうら板面３１ｂと接続され、発光表示部３４ａ又は３４ｂ側から画像表示部２７側へ向かうに従って視認側へ向かうように傾斜して形成された反射面４３が、板内部３２を発光表示部３４ａ又は３４ｂ側から画像表示部２７側へ向かう光源光を視認側へ反射する。こうした反射面４３による反射作用を用いた偏向では、板内部３２を伝播する光源光を効率よく視認側に偏向することができるため、発光表示部３４ａ，３４ｂの発光輝度が向上し、見栄え効果が高まる。
【００６７】
また、第１実施形態によると、光源光の透過を規制する第１光規制壁部４５が、光源光を導光板３０から視認側へ射出する光射出部４４の画像表示部２７側に隣接して配置されている。故に、発光表示部３４ａ，３４ｂから画像表示部２７側へ向かう光源光を第１光規制壁部４５が規制することで、画像表示部２７での拡散光の影響は一層減少すると共に、光源光を射出して発光する光射出部４４と第１光規制壁部４５とのコントラストによって、発光加飾部４２ａ，４２ｂの加飾性が一段と向上する。
【００６８】
また、第１実施形態によると、発光加飾部４２ａ，４２ｂは、導光板３０のおもて板面３１ａよりも視認側に突出している。突出した発光加飾部４２ａ，４２ｂにより、導光板３０に立体的なアクセントが生まれ、表示装置１００全体の立体感が高まる。
【００６９】
また、第１実施形態によると、光射出部４４は、平面状の射出面４４ａを有する。このような平面状の射出面４４ａでは、光源光に対する集光作用又は発散作用を抑制できるので、発光加飾部４２ａ，４２ｂからの視認側への光源光の発光を、自然な印象とすることができる。
【００７０】
また、第１実施形態によると、発光加飾部４２ａ，４２ｂは、発光表示部３４ａ，３４ｂの目盛凹状穴３５ａに沿うように湾曲した湾曲縁部４６ｃを有する。このようにすると、発光加飾部４２ａ，４２ｂの目盛凹状穴３５ａとの一体感が高まるので、加飾性が格段に高まる。
【００７１】
また、第１実施形態によると、発光表示部３４ａ，３４ｂは、輪郭が情報を表示するように形成された側壁面３６が設けられ、板内部３２に導入された光源光により側壁面３６が照明されて光る凹状穴３５を有する。このような凹状穴３５の発光表示により、表示装置１００の立体感が高まり、格別な見栄えを実現することができる。
【００７２】
また、第１実施形態によると、光源部５０ａ，５０ｂは、画像表示部２７とは発光表示部３４ａ，３４ｂを挟んで反対側に、一対設けられている。各発光表示部３４ａ，３４ｂが、画像２７表示部よりも光源部５０ａ，５０ｂに近い配置とすることで、光源部５０ａ，５０ｂからの距離に伴って影響が大となる白化現象の影響が、各発光表示部３４ａ，３４ｂでは抑制されて、各発光表示部３４ａ，３４ｂでの見栄えを向上することができる。一方、各光源部５０ａ，５０ｂからの距離が遠くなる画像表示部２７では、発光加飾部４２ａ，４２ｂが視認側に光源光を偏向することで白化現象が抑制される。一対の発光表示部３４ａ，３４ｂに挟まれるように配置された画像表示部２７の視認性を良好なものとすることで、対称性のある見栄えが良好な表示装置１００を提供することができる。
【００７３】
また、第１実施形態によると、発光表示部３４ａ，３４ｂよりも背面側に、発光表示部３４ａ，３４ｂと重畳して配置され、発光表示部３４ａ，３４ｂと組み合わされた表示を行なう組み合わせ表示部としての指針部２３ａ，２３ｂが備わっている。発光表示部３４ａ，３４ｂと指針部２３ａ，２３ｂとが前後して立体感かつ一体感のある組み合わせ表示が実施されることにより、表示装置１００の見栄えはさらに良好となる。
【００７４】
また、第１実施形態によると、並存表示部は、画像を表示する画像表示部２７を含んで構成されている。これによれば、発光加飾部４２ａ，４２ｂによる白化現象の影響抑制によって画像表示部２７による黒の表現を劣化させずに、乗員にダイレクトに伝えることができるので、表示装置１００の見栄えはさらに良好となる。
【００７５】
（他の実施形態）
以上、一実施形態について説明したが、本開示は、当該実施形態に限定して解釈されるものではなく、本開示の要旨を逸脱しない範囲内において種々の実施形態に適用することができる。
【００７６】
具体的に変形例１としては、光射出部４４の射出面の形状には、様々な形状を採用することが可能である。例えば図６に示すように、射出面９４４ａが視認側に凸となる曲面状に形成されていてもよい。このような射出面９４４ａでは、視認側に射出される光源光に集光作用を付与することができるので、高輝度な発光を実現できる。また、光射出部４４は、おもて板面３１ａよりも視認側に突出するように形成されていなくてもよく、おもて板面３１ｂよりも凹んでいてもよく、おもて板面と共通の平面において射出面を構成していてもよい。
【００７７】
変形例２としては、第１光規制壁部４５及び第２光規制壁部４６は、光源光の透過を規制するものであればよく、例えば第１光規制壁部４５及び第２光規制壁部４６の少なくとも一方がスモーク調に着色された半透過性を有する部材であっても、光源光の透過規制効果を発揮することができる。
【００７８】
変形例３としては、第１光規制壁部４５及び第２光規制壁部４６の少なくとも一方は、設けられていなくてもよい。
【００７９】
変形例４としては、発光加飾部４２ａ，４２ｂは、光源光を視認側へ偏向して発光するものであればよい。したがって、反射面４３の形状は、平面状に限られず、曲面状に変更可能である。また、反射ではなく、屈折、回折等によって光源光が視認側へ偏向されるようにしてもよい。
【００８０】
変形例５としては、導光板３０に重畳部４０が形成されず、導光板３０のうち並存表示部と重畳している部分が開口するように開口部を形成していてもよい。発光加飾部４２ａ，４２ｂは、導光板３０に埋設されずに、この開口部を縁取るように配置されていてもよい。
【００８１】
変形例６としては、発光表示部３４ａ，３４ｂと光源部５０ａ，５０ｂとは、一対ずつ設けられていなくてもよく、並存表示部と発光表示部とが一つずつ設けられていてもよい。並存表示部、発光表示部、光源部の配置数は、表示形態に合わせて任意に設定することができる。
【００８２】
変形例７としては、発光表示部３４ａ，３４ｂと組み合わされた表示を行なう組み合わせ表示部が設けられていなくてもよい。
【００８３】
変形例８としては、凹状穴３５の側壁面３６及び底面３７の面粗さは、任意に設定することができる。また、底面３７は、うら板面３１ｂ又はおもて板面３１ａに実質平行に形成されていてもよい。
【００８４】
変形例９としては、図７に示すように、発光表示部３４ａ，３４ｂは、複数の反射素子９３５を有する構成であってもよい。この構成では、うら板面３１ｂから凹んで形成され、例えば凹み深さ２０μｍ以下の微細なサイズに設定された反射素子９３５が、光源光を視認側に反射する。そして、多数の反射素子９３５が適宜配置されることにより、反射素子９３５の集合体により図柄ＰＴＮが面状に発光する。このような図柄ＰＴＮの面状発光により、表示装置１００の立体感が高まり、格別な見栄えを実現することができる。
【００８５】
変形例１０としては、並存表示部としては、画像表示部２７以外にも、機械的な指針を用いた表示部、又はインジケータランプを用いた表示部等を、採用することができる。
【００８６】
変形例１１としては、光源部５０ａ，５０ｂは、点光源状の発光ダイオードに限られず、例えば線光源状の蛍光灯等、種々の発光素子を採用することができる。
【００８７】
変形例１２としては、発光加飾部４２ａ，４２ｂの上下端部近傍の湾曲縁部４６ｃを速度計、回転計の目盛の最外縁に沿うように深く傾斜させて、発光加飾部４２ａ，４２ｂをこれら速度計、回転計の一部外周を加飾するような造形としてもよい。
【００８８】
変形例１３としては、表示装置１００は、車両に用いられるものに限られず、例えば航空機、船舶等の移動体に用いられる表示装置、冷蔵庫等の家電製品、スマートフォン等の情報通信機器、ゲーム、パチンコ等の遊技機、街頭広告等に用いられる表示装置であってもよい。発光表示部及び並存表示部が表示する各表示内容も、表示装置の目的に合わせて任意に設定することができる。
【符号の説明】
【００８９】
１００  表示装置、２７  画像表示部（並存表示部）、３０  導光板、３２  板内部、３４ａ，３４ｂ  発光表示部、４２ａ，４２ｂ  発光加飾部
【図１】
2020008377.tif 000003
【図２】
2020008377.tif 000004
【図３】
2020008377.tif 000005
【図４】
2020008377.tif 000006
【図５】
2020008377.tif 000007
【図６】
2020008377.tif 000008
【図７】
2020008377.tif 000009